(57)【要約】【課題】  持ち出す物品の数が多くても、また、煩雑に携帯された物品であっても、持ち出し許可のチェックを迅速に行なうことができ持ち出し物品のチェックがスムーズに行え、実用的な、無線タグを用いる物品管理システム及び物品管理プログラムを提供すること。【解決手段】  複数の物品各々に付された無線タグ情報を読み取る無線タグ情報読み取り手段と、この無線タグ情報読み取り手段により読み取られた無線タグ情報を予め記憶された管理情報と順次、比較する情報比較手段と、この情報比較手段により前記無線タグ情報が、前記管理情報の一つと一致した場合に許可の判定を行なう許可判定手段とを備えて成ることを特徴とする。【選択図】図１
2006252252.tif 000002
【特許請求の範囲】
【請求項１】
複数の物品各々に付された無線タグ情報を読み取る無線タグ情報読み取り手段と、
この無線タグ情報読み取り手段により読み取られた無線タグ情報を予め記憶された管理情報と順次、比較する情報比較手段と、
この情報比較手段により前記無線タグ情報が、前記管理情報の一つと一致した場合に許可の判定を行なう許可判定手段とを備えて成ることを特徴とする、無線タグを用いる物品管理システム。
【請求項２】
複数の物品各々に付された無線タグ情報を一括して読み取る無線タグ情報読み取り手段と、
この無線タグ情報読み取り手段により読み取られた前記無線タグ情報を順次、予めファイルに登録されている管理情報と比較する情報比較手段と、
この情報比較手段により読み取られた前記無線タグ情報が、前記管理情報の一つと一致した場合に許可の判定を行なう許可判定手段とを備えて成ることを特徴とする無線タグを用いる物品管理システム。
【請求項３】
複数の物品各々に付された無線タグ情報を順次、読み取る無線タグ情報読み取り手段と、
この無線タグ情報読み取り手段により読み取られた前記無線タグ情報を予めファイルに登録されている管理情報と順次、比較する情報比較手段と、
この情報比較手段により読み取られた前記無線タグ情報が、前記管理情報の一つと一致した場合に許可の判定を行なう許可判定手段とを備え、
前記情報比較手段により読み取られた前記無線タグ情報が、前記管理情報の一つと一致しない場合に、前記無線タグ情報読み取り手段により次の無線タグ情報を読み取ることを特徴とする、無線タグを用いる物品管理システム。
【請求項４】
コンピュータにより物品の管理を行わせる物品管理プログラムであって、
複数の物品各々に付された無線タグ情報を読み取る無線タグ情報読み取りステップと、
この無線タグ情報読み取りステップにより読み取られた無線タグ情報を予め記憶された管理情報と順次、比較する情報比較ステップと、
この情報比較ステップにより前記無線タグ情報が、前記管理情報の一つと一致した場合に許可の判定を行なう許可判定ステップとを備えて成ることを特徴とする、無線タグを用いる物品管理プログラム。
【請求項５】
コンピュータにより物品の管理を行わせる物品管理プログラムであって、
複数の物品各々に付された無線タグ情報を一括して読み取る無線タグ情報読み取りステップと、
この無線タグ情報読み取りステップにより読み取られた前記無線タグ情報を順次、予めファイルに登録されている管理情報と比較する情報比較ステップと、
この情報比較ステップにより読み取られた前記無線タグ情報が、前記管理情報の一つと一致した場合に許可の判定を行なう許可判定ステップとを備えて成ることを特徴とする無線タグを用いる物品管理プログラム。
【請求項６】
コンピュータにより物品の管理を行わせる物品管理プログラムであって、
複数の物品各々に付された無線タグ情報を順次、読み取る無線タグ情報読み取りステップと、
この無線タグ情報読み取りステップにより読み取られた前記無線タグ情報を予めファイルに登録されている管理情報と順次、比較する情報比較ステップと、
この情報比較ステップにより読み取られた前記無線タグ情報が、前記管理情報の一つと一致した場合に許可の判定を行なう許可判定ステップとを備え、
前記情報比較ステップにより読み取られた前記無線タグ情報が、前記管理情報の一つと一致しない場合に、前記無線タグ情報読み取りステップにより次の無線タグ情報を読み取ることを特徴とする、無線タグを用いる物品管理プログラム。
【発明の詳細な説明】
【技術分野】
【０００１】
本発明は、無線タグを用いた書籍・書類等の物品の管理システムなどに関する。
【背景技術】
【０００２】
従来、無線タグを用いて書籍などの物品を管理する物品管理システムでは、物品に付された無線タグ情報を読み取る入退ゲートを出入り口に設け、これにより持ち出し物品の通過を検知して持ち出しが許可されているか否かを判断し、許可されていない場合は警告やゲートの封鎖などを行なうことにより、物品の管理領域からの不正な持ち出しを防止していた（例えば、特許文献１参照）。
【０００３】
しかしながら、上記物品管理システムの例では持ち出される物品の無線タグ情報を読み取り、持ち出しが許されるかどうかを全ての物品についてチェックするため、持ち出す物品の数が多くなるほど読み取りとチェックに時間がかかり、読み取れないと警告音などにより所持者の注意を促すことになる。また、特にその物品が書籍や書類等の場合は、入退ゲート通過時において小脇にかかえて携帯されて通過しようとすることが多く、入退ゲートに内蔵されているアンテナと書籍などに付されている無線タグとの向きによっては、全ての無線タグ情報を正確かつ迅速に読み取れないことも少なくなかった。読み取れないと、再度ゲートを通る必要があり、実際上の持ち出し物品の管理システムとしては使いにくいものであった。
【特許文献１】特開２００４−１５１８２１号公報
【発明の開示】
【発明が解決しようとする課題】
【０００４】
本発明は、上記のような従来の無線タグを用いた書籍などの物品管理システムの問題点にかんがみてなされたもので、持ち出す物品の数が多くても、また、煩雑に携帯された物品であっても、持ち出し許可のチェックを迅速に行なうことができ持ち出し物品のチェックがスムーズに行え、実用的な、無線タグを用いる物品管理システム及び物品管理プログラムを提供することを目的とする。
【課題を解決するための手段】
【０００５】
本発明の請求項１によれば、複数の物品各々に付された無線タグ情報を読み取る無線タグ情報読み取り手段と、この無線タグ情報読み取り手段により読み取られた無線タグ情報を予め記憶された管理情報と順次、比較する情報比較手段と、この情報比較手段により前記無線タグ情報が、前記管理情報の一つと一致した場合に許可の判定を行なう許可判定手段とを備えて成ることを特徴とする、無線タグを用いる物品管理システムを提供する。
【０００６】
本発明の請求項２によれば、複数の物品各々に付された無線タグ情報を一括して読み取る無線タグ情報読み取り手段と、この無線タグ情報読み取り手段により読み取られた前記無線タグ情報を順次、予めファイルに登録されている管理情報と比較する情報比較手段と、この情報比較手段により読み取られた前記無線タグ情報が、前記管理情報の一つと一致した場合に許可の判定を行なう許可判定手段とを備えて成ることを特徴とする無線タグを用いる物品管理システムを提供する。
【０００７】
本発明の請求項３によれば、複数の物品各々に付された無線タグ情報を順次、読み取る無線タグ情報読み取り手段と、この無線タグ情報読み取り手段により読み取られた前記無線タグ情報を予めファイルに登録されている管理情報と順次、比較する情報比較手段と、この情報比較手段により読み取られた前記無線タグ情報が、前記管理情報の一つと一致した場合に許可の判定を行なう許可判定手段とを備え、前記情報比較手段により読み取られた前記無線タグ情報が、前記管理情報の一つと一致しない場合に、前記無線タグ情報読み取り手段により次の無線タグ情報を読み取ることを特徴とする、無線タグを用いる物品管理システムを提供する。
【０００８】
本発明の請求項４によれば、コンピュータにより物品の管理を行わせる物品管理プログラムであって、複数の物品各々に付された無線タグ情報を読み取る無線タグ情報読み取りステップと、この無線タグ情報読み取りステップにより読み取られた無線タグ情報を予め記憶された管理情報と順次、比較する情報比較ステップと、この情報比較ステップにより前記無線タグ情報が、前記管理情報の一つと一致した場合に許可の判定を行なう許可判定ステップとを備えて成ることを特徴とする、無線タグを用いる物品管理プログラムを提供する。
【０００９】
本発明の請求項５によれば、コンピュータにより物品の管理を行わせる物品管理プログラムであって、複数の物品各々に付された無線タグ情報を一括して読み取る無線タグ情報読み取りステップと、この無線タグ情報読み取りステップにより読み取られた前記無線タグ情報を順次、予めファイルに登録されている管理情報と比較する情報比較ステップと、この情報比較ステップにより読み取られた前記無線タグ情報が、前記管理情報の一つと一致した場合に許可の判定を行なう許可判定ステップとを備えて成ることを特徴とする無線タグを用いる物品管理プログラムを提供する。
【００１０】
本発明の請求項６によれば、コンピュータにより物品の管理を行わせる物品管理プログラムであって、複数の物品各々に付された無線タグ情報を順次、読み取る無線タグ情報読み取りステップと、この無線タグ情報読み取りステップにより読み取られた前記無線タグ情報を予めファイルに登録されている管理情報と順次、比較する情報比較ステップと、この情報比較ステップにより読み取られた前記無線タグ情報が、前記管理情報の一つと一致した場合に許可の判定を行なう許可判定ステップとを備え、前記情報比較ステップにより読み取られた前記無線タグ情報が、前記管理情報の一つと一致しない場合に、前記無線タグ情報読み取りステップにより次の無線タグ情報を読み取ることを特徴とする、無線タグを用いる物品管理プログラムを提供する。
【発明の効果】
【００１１】
本発明によれば、持ち出す物品の数が多くても、また、煩雑に携帯された物品であっても、持ち出し許可のチェックを迅速に行なって入退室の円滑性を高めた無線タグを用いた物品管理システムやプログラムが得られる効果がある。
【発明を実施するための最良の形態】
【００１２】
以下、本発明の実施形態について図面を用いて説明する。
【００１３】
まず、本発明の一実施形態の全体構成例を図１に示す。この実施形態では、管理される物品として書籍を例に説明する。即ち、管理対象となる書籍１１と、これら書籍１１に個別に付された無線タグ１２の情報を読み取る卓上型無線タグスキャナ１３と、書籍１１を登録・管理するコンピュータ１４と、管理領域の出入り口に設置される入退ゲート１５と、この入退ゲート１５に備えられ、書籍１１に付された無線タグ１２の検知とその情報を読み取る無線タグ情報受信アンテナ１６とから構成される。
【００１４】
また、本発明の一実施形態の物品管理システムの構成例を図２に示す。即ち、この物品管理システムにおける入退ゲート１５は、無線タグ１２の通信の検知と受信を行なうアンテナ２１と、このアンテナ２１を介して無線タグ１２の情報を読み取る無線タグ情報読み取り部２２と、退室の可否を通報する退室可否通報部２７とから成る。コンピュータ１４は、上記無線タグ情報読み取り部２２で読み取った無線タグ情報を持ち出し情報と比較する無線タグ情報比較部２３と、書籍１１の持ち出し許可情報を保持する持ち出し登録ファイル２４と、無線タグ情報と前記持ち出し登録ファイル２４の持ち出し許可情報により持ち出し許可を判定する許可判定部２５と、前記許可判定部２５の判定結果を入退ゲート１５に通知する判定結果通知部２６とから成る。
【００１５】
また、卓上無線タグスキャナ１３は、無線タグ１２の付された書籍１１の無線タグ情報を読み取らせて登録することにより持ち出し許可を得る持ち出し登録部２８と、持ち出した書籍１１の無線タグ情報を読み取らせて持ち出し登録を抹消することにより持ち出し許可を取り消す返却登録部２９とから構成される。
【００１６】
次に、この実施形態の物品管理システムの動作について説明する。管理対象となる書籍１１は各々に無線タグ１２を付されて個別管理される。つまり、無線タグ１２を付された書籍１１は、管理領域内への導入時に無線タグ情報を読み取ることのできる卓上型無線タグスキャナ１３によりその無線タグ情報を読み取られ、その他の諸元などの情報とともに書籍１１を管理するコンピュータ１４に登録されて、物品管理システムの管理下におかれる。
【００１７】
上記物品管理システムの管理領域から書籍１１を持ち出したい場合は、予め持ち出しの許可を得るために、卓上型無線タグスキャナ１３に書籍１１の無線タグ情報を読み取らせて持ち出し書籍１１をコンピュータ１４に登録して持ち出し許可を得る。コンピュータ１４はこの書籍１１の無線タグ情報を持ち出し登録ファイル２４に格納し記憶する。
【００１８】
一方、物品管理システムの管理領域からの出入り口には入退ゲート１５を設置し、これに無線タグ１２の検知と無線タグ情報の読み取りを行なう無線タグ情報受信アンテナ１６を設けて、入退ゲート１５を通過する書籍１１の無線タグ１２からの通信の受信と情報の読み取りを行なう。この無線タグ情報受信アンテナ１６は、アンテナ２１と無線タグ情報読み取り部２２から成り、アンテナ２１は無線タグ１２の検知と通信を行ない、無線タグ情報読み取り部２２はアンテナ２１と無線タグ１２との通信を制御し、無線タグ情報の読み取りとコンピュータ１４への情報送信を行なう。
【００１９】
次に、書籍１１を管理領域から実際に持ち出す場合の管理方法、つまり書籍１１が入退ゲート１５を通過するときの物品管理システムの処理について、図３に示したフローチャートを用いて動作を詳細に説明する。
【００２０】
ステップS３１では、入退ゲート１５の無線タグ情報読み取り部２２が、アンテナ２１を用いて、通過しようとする書籍１１の無線タグ情報をそれが複数ある場合は全てを、読み取って無線タグ情報比較部２３に一括して送信する。
【００２１】
ステップS３２では、前記ステップS３１で入退ゲート１５の無線タグ情報読み取り部２２によって読み取られた無線タグ情報を、無線タグ情報比較部２３が受信し、一時記憶域に格納して、この無線タグ情報が１つ以上あるか否かを判断する。一つ以上読み取られていれば、これを読み取り済み無線タグ情報リストとするとともに、その最初に読み取られた情報を検索対象無線タグ情報としてステップS３３に進む。ステップＳ３２において無線タグ情報がまったく読み取られていなければステップS３１に戻り、再度、読み取りを試みる。
【００２２】
一方、ステップS３３に進むと、無線タグ情報比較部２３において、読み取り済み無線タグ情報リストに載せられている検索対象無線タグ情報の１つを、持ち出し登録ファイル２４に登録されている書籍１１の情報と比較し、ステップＳ３４において一致するものがあるか調べる。
【００２３】
ステップS３４では、許可判定部２５が、検索対象無線タグ情報に対する前記ステップ３３の検索結果をもとに持ち出し登録がなされているか否かを判断する。持ち出し登録がなされている場合は、判定結果通知部２６に持ち出しの「許可」を通知してステップS３７に進む。持ち出し登録がなされていない場合は、ステップS３５に進む。
【００２４】
ステップS３５では、無線タグ情報比較部２３において読み取り済み無線タグ情報リスト中の全ての無線タグ情報を判定し終えたか否かを判断する。読み取り済み無線タグ情報の全てについて判定し終えていない場合には、ステップＳ３３に戻り、残っている読み取られた無線タグ情報の１つを持ち出し登録ファイル２４の書籍データと比較する。持ち出し登録ファイル２４に一致する書籍データがあったならステップＳ３７に移り、退室許可を携帯者に通知する。
【００２５】
即ち、読み取られた無線タグ情報の１つ１つを、順次、持ち出し登録ファイル２４の書籍データと比較し、一致するデータが最初に見つかったときにステップＳ３７で退室許可を通知することになる。
【００２６】
ステップＳ３５において、全ての読み取り済み無線タグ情報を判定し終えたならば、ステップS３６に移る。ステップS３６に移ることは、許可判定部２５において読み取り済み無線タグ情報リスト中のいずれも持ち出しが許可されたものがないことを意味する。したがって、このステップで判定結果通知部２６は入退ゲート１５の退室可否通報部２７に対して退室不許可の信号を送る。
【００２７】
この信号を受けた入退ゲート１５の退室可否通報部２７は、例えば当該書籍１１の通過を阻止するため、警告音やゲートの封鎖などの措置を取り、書籍１１の不正な持ち出しを防ぐ退室を許さない旨を書籍の携帯者に通知する。
【００２８】
ステップS３４において、許可判定部２５から持ち出しの「許可」の判定を受けた場合には、判定結果通知部２６はステップS３７で入退ゲート１５の退室可否通報部２７に対して退室許可の信号を通知して、当該書籍１１を携帯している人に対してゲート通過を促す。以上述べた処理により、書籍１１に対する管理領域からの持ち出しの管理を行なうことができる。
【００２９】
一方、書籍１１を返却する場合、入室時の入退ゲート１５における無線タグ情報の読み取りと持ち出し許可のチェックでは、持ち出しが許可された状態であるので通過は許される。入室後、卓上型無線タグスキャナ１３に書籍１１の無線タグ情報を読み取らせて持ち出し書籍１１の持ち出し許可をコンピュータ１４の持ち出し登録ファイル２４から抹消することにより返却されたこととなる。以上のように物品管理システムは無線タグ１２を用いた書籍１１の物品管理を行なう。
【００３０】
ところで、上記実施形態の物品管理システムによれば、物品の不正な持ち出しを防ぎつつ、持ち出す物品の数が多くても、また煩雑に携帯された物品であっても、無線タグの情報を一度に読み取り、その後登録されているか否かを一括してチェックし、しかも最初に持ち出し許可の書籍が見つかった段階で許可の通知を行うので、極めて迅速にチェックを行なえる利点がある。
【００３１】
ところで、上述の実施形態では、入退ゲート１５を通過しようとする複数の書籍１１の無線タグ情報を全て、一括して読み取った後に、順次１つずつ持ち出し許可判定を行なっていた。しかし本発明はこのような読み取り判定の方法によらず、無線タグ情報の読み取りと持ち出し許可判定を１件づつ逐次する処理方法を用いることも可能である。次に、このような方法による他の実施形態につき、書籍１１を携帯した人が入退ゲート１５を通過する際の物品管理システムの動作について、図４に示したフローチャートを用いて説明する。
【００３２】
ステップS４１では、入退ゲート１５のアンテナ２１を用いて、書籍１１に付した無線タグ１２からの応答が有るか否かを判断して、無ければ再度応答が有るか否かの判断に戻ることにより無線タグ１２の検知を待つ。無線タグ１２から応答が有った場合、即ち、無線タグ１２を検知した場合は、ステップS４２に進む。
【００３３】
ステップS４２では、無線タグ１２からの応答が引き続き有るかを入退ゲート１５のアンテナ２１を用いて判断する。引き続き有る場合は、ステップS４３へ進むが、応答が無くなった場合は、ステップS４８に進む。
【００３４】
ステップS４３では、ステップS４１で応答した無線タグ１２の無線タグ情報を入退ゲート１５の無線タグ情報読み取り部２２において読み取る。次のステップS４４では、無線タグ１２の無線タグ情報を正しく読み取れたか判断する。
【００３５】
無線タグ情報が正しく読み取れた場合は、当該無線タグ情報を無線タグ情報比較部２３に送信しステップS４５へ進む。読み取れなかった場合はステップS４２に戻り、再度、無線タグ情報の読み取りを試みる。このとき、無線タグ情報が直近に処理したものと同一であるかも確認して、当該無線タグ情報が処理済であればステップS４２に進むことにより同じ無線タグ１２について二重に処理することを防ぐ。
【００３６】
ステップS４５では、無線タグ情報比較部２３が無線タグ情報読み取り部２２からの無線タグ情報を受信し、受信した無線タグ情報と一致する書籍１１の情報が持ち出し登録ファイル２４に存在するかを検索する。
【００３７】
ステップS４６では、許可判定部２５において、無線タグ情報に一致する書籍１１の検索結果をもとに当該書籍１１が持ち出し登録されているか否かを判断し、登録されていれば持ち出し「許可」としてステップS４７に進み、登録されていなければ持ち出し「不許可」としてステップS４２に戻り、次の無線タグ情報の読み取りに進む。
【００３８】
なお、この許可判定部２５による判定結果は、一通過単位、つまり、無線タグ１２の応答をはじめて検知した時から無線タグ１２の応答が無くなるまで、即ち検知できなくなるまで、各無線タグ情報と一対にし判定リストとして一時的に記憶され、後述のステップS４８で使用される。
【００３９】
ステップS４７では、判定結果通知部２６がステップS４６での許可判定部２５による当該書籍１１に対する持ち出しの「許可」の判定を受け、入退ゲート１５の退室可否通報部２７に退室許可を通知する。この通知を受けた入退ゲート１５の退室可否通報部２７は、当該書籍１１の通過を促す。また、前記ステップS４６で作成された判定リストも消去する。通過を確認した後、ステップS４１に戻り、次の書籍１１のゲート通過を待つことになる。
【００４０】
ステップS４８では、ステップS４２で無線タグ１２の応答が無くなったか、或いは、今回通過する書籍１１の全てについて、許可判定が終わったことを意味するため、それまでに判定した書籍１１が全て持ち出し「不許可」、つまり、持ち出し登録されていないものばかりであるかをステップS４６で作成された判定リストをもとに判断する。それまでに判定した書籍１１が全て持ち出し「不許可」であれば、ステップS４９に進み、そうでなければステップS４７に進む。
【００４１】
ステップS４９では、判定結果通知部２６が入退ゲート１５の退室可否通報部２７に対して退室不許可を通知する。この通知を受けた入退ゲート１５の退室可否通報部２７は、当該書籍１１の通過を阻止するため、警告音やゲートの封鎖などの措置を取り、書籍１１の不正な持ち出しを防ぐ。その後、前記ステップS４６で作成された判定リストを消去し、ステップS４１に戻って次の無線タグ１２の検知を待つ。以上のような処理で、書籍１１に対する管理領域からの持ち出しの管理を行なう。
【００４２】
以上述べたように、この実施形態の物品管理システムでは、入退ゲート１５を通過しようとする全ての書籍１１の無線タグ情報を１件づつ読み取って許可判定を行い、最初に許可された書籍が判定された時点で直ちに通過を許す。したがって、迅速に書籍のチェックを行うことができる効果がある。更にこの実施形態によれば、読み取った無線タグ情報を全て一旦記憶しておく必要がなく、コンピュータなどにおける必要な記憶容量の増大を抑えられるという利点がある。
【００４３】
上記実施形態では、本発明を書籍を物品として管理するシステムについて説明したが、書籍以外の物品の管理にも適用可能である。また本発明による物品の管理は、上述のようにシステムとして行うだけでなく、コンピュータのプログラムとして実行することも可能である。
【図面の簡単な説明】
【００４４】
【図１】本発明における一実施形態の全体構成例を示す図。
【図２】本発明の一実施形態における物品管理システムの構成例を示す図。
【図３】本発明の一実施形態の物品管理システムにおけるチェック方法を説明するための図。
【図４】本発明の他の実施形態におけるチェック方法を説明するための図。
【符号の説明】
【００４５】
１１・・・書籍、
１２・・・無線タグ、
１３・・・卓上型無線タグスキャナ、
１４・・・コンピュータ、
１５・・・入退ゲート、
１６・・・無線タグ情報受信アンテナ、
２１・・・アンテナ、
２２・・・無線タグ情報読み取り部、
２３・・・無線タグ情報比較部、
２４・・・持ち出し登録ファイル、
２５・・・許可判定部、
２６・・・判定結果通知部、
２７・・・退室可否通報部、
２８・・・持ち出し登録部、
２９・・・返却登録部。
【図１】
2006252252.tif 000003
【図２】
2006252252.tif 000004
【図３】
2006252252.tif 000005
【図４】
2006252252.tif 000006